(57)【要約】【課題】本体電気接点部からの押圧力によるカートリッジのモーメントを打ち消して、カートリッジに設けたメモリタグ接点と、画像形成装置の装置本体に設けた電気接点との安定した当接を実現する。【解決手段】カートリッジの回転止め部を、本体電気接点ユニットの押圧力によってカートリッジに発生するモーメントを打ち消す向きの反力が作用する位置に配置する。【選択図】図１７
2015014632.tif 000002
【特許請求の範囲】
【請求項１】
受け凹部と当接部と本体電気接点とを備えており記録媒体に画像を形成する画像形成装置の装置本体に取り外し可能に装着され、前記記録媒体に画像を形成する画像形成プロセスに寄与するカートリッジであって、
前記装置本体の画像形成位置に装着され状態において、
前記受け凹部に保持される第一位置決め突起と、
前記第一位置決め突起とは異なる位置に配設されていて前記当接部に当接する第二位置決め突起と、
情報を記憶する記憶素子と前記記憶素子と電気的に接続した記憶素子接点とを備え前記本体電気接点が前記記憶素子接点に当接する情報記憶部材と、
を有し、前記本体電気接点から前記記憶素子接点へ作用する押圧によりカートリッジに作用する前記第一位置決め突起を中心とするモーメントが前記第二位置決め突起を前記当接部に押圧する向きに作用する構成であることを特徴とするカートリッジ。
【請求項２】
前記記憶素子は前記カートリッジの前記装置本体への装着方向において前記第一位置決め突起よりも上流側に設けられており、前記第二位置決め突起は前記装着方向において前記第一位置決め突起よりも下流側に設けられていることを特徴とする請求項１に記載のカートリッジ。
【請求項３】
前記記憶素子は前記カートリッジの前記装置本体への装着方向において前記第一位置決め突起よりも上流側に設けられており、前記第二位置決め突起は前記装着方向において前記第一位置決め突起よりも下流側に設けられていることを特徴とする請求項１に記載のカートリッジ。
【請求項４】
前記カートリッジは、潜像が形成される回転可能な像担持体と、前記像担持体に作用する画像形成プロセス手段と、を有する一体型のプロセスカートリッジであることを特徴とする請求項１から３のいずれか一項に記載のカートリッジ。
【請求項５】
前記画像形成プロセス手段が、少なくとも、前記像担持体に現像剤を供給して前記潜像を現像するための現像剤担持体と現像剤を収納した現像剤収納部とを有する現像装置ユニットであることを特徴とする請求項４に記載のカートリッジ。
【請求項６】
前記カートリッジは、潜像が形成される回転可能な像担持体と、前記像担持体に形成された潜像を現像剤で現像する現像手段以外の画像形成プロセス手段とを備えた分離型のプロセスカートリッジであることを特徴とする請求項１から３のいずれか一項に記載のカートリッジ。
【請求項７】
前記第一位置決め突起は前記像担持体の回転軸線とほぼ同軸に設けられていることを特徴とする請求項４から６のいずれか一項に記載のカートリッジ。
【請求項８】
前記カートリッジは、潜像が形成される回転可能な像担持体に現像剤を供給して前記潜像を現像するための現像剤担持体と、現像剤を収納した現像剤収納部と、を有する現像カートリッジであることを特徴とする請求項１から３のいずれか一項に記載のカートリッジ。
【請求項９】
前記カートリッジは、現像剤を収納した現像剤カートリッジであることを特徴とする請求項１から３のいずれか一項に記載のカートリッジ。
【請求項１０】
記録媒体に画像を形成する画像形成装置であって、
受け凹部と、
当接部と、
本体電気接点と、
請求項１ないし９の何れか一項に記載のカートリッジと、
を有することを特徴とする画像形成装置。
【請求項１１】
第一位置決め突起と前記第一位置決め突起とは異なる位置に配設された第二位置決め突起と情報を記憶する記憶素子と前記記憶素子と電気的に接続した記憶素子接点とを備えた情報記憶部材とを有するカートリッジが取り外し可能に装着されて記録媒体に画像を形成する画像形成装置の装置本体であって、
前記カートリッジが画像形成位置に装着され状態において、前記第一位置決め突起を保持する受け凹部と、
前記第二位置決め突起が当接する当接部と、
前記記憶素子接点に当接する本体電気接点と、
を有し、前記本体電気接点から前記記憶素子接点へ作用する押圧によりカートリッジに作用する前記第一位置決め突起を中心とするモーメントが前記第二位置決め突起を前記当接部に押圧する向きに作用する構成であることを特徴とする画像形成装置の装置本体。
【請求項１２】
前記カートリッジが請求項２ないし９の何れか一項に記載のカートリッジであることを特徴とする請求項１１に記載の画像形成装置の装置本体。
【請求項１３】
記録媒体に画像を形成する画像形成装置の装置本体に取り外し可能に装着され、前記記録媒体に画像を形成する画像形成プロセスに寄与するカートリッジの装着システムであって、
前記装置本体は受け凹部と当接部と本体電気接点とを備えており、
前記カートリッジは、前記装置本体の画像形成位置に装着され状態において、前記受け凹部に保持される第一位置決め突起と、前記第一位置決め突起と異なる位置に配設されていて前記当接部に当接する第二位置決め突起と、情報を記憶する記憶素子と前記記憶素子と電気的に接続した記憶素子接点とを備え前記本体電気接点が前記記憶素子接点に当接する情報記憶部材と、を有し
前記本体電気接点から前記記憶素子接点へ作用する押圧によりカートリッジに作用する前記第一位置決め突起を中心とするモーメントが前記第二位置決め突起を前記当接部に押圧する向きに作用する構成であることを特徴とするカートリッジ装着システム。
【請求項１４】
前記カートリッジが請求項２ないし９の何れか一項に記載のカートリッジであることを特徴とする請求項１３に記載のカートリッジ装着システム。
【発明の詳細な説明】
【技術分野】
【０００１】
本発明は、記録媒体に画像を形成する画像形成装置の装置本体に取り外し可能（着脱可能）に装着されるカートリッジに関する。また、カートリッジを取り外し可能に装着して記録媒体に画像を形成する画像形成装置に関する。また、画像形成装置の装置本体、及びカートリッジ装着システムに関する。
【０００２】
ここで、画像形成装置は、例えば、電子写真プロセス、静電記録プロセス、磁気記録プロセスなどの公知の各種の画像形成原理・方式の画像形成プロセスを用いて記録媒体に画像を形成する装置である。例えば、複写機、プリンタ（例えばＬＥＤプリンタ、レーザープリンタ等）、ファクシミリ装置、ワードプロセッサ、画像表示装置（電子黒板や電子白板）等が含まれる。
【０００３】
記録媒体は、画像形成装置によって画像が形成されるものであって、例えば、紙、ＯＨＴシート等が含まれる。中間転写媒体や画像表示装置の画像表示部材なども含まれる。
【０００４】
カートリッジとしては、例えば、現像剤を担持するための現像剤担持体を有する現像カートリッジがある。また、現像剤像が形成される像担持体とこの像担持体に作用する画像形成プロセス手段を有する画像形成部の一部または全てが一体的にカートリッジ化されたプロセスカートリッジがある。そして、画像形成装置の装置本体に取り外し可能に装着されて、記録媒体に画像を形成する画像形成プロセスに寄与するものである。画像形成装置の装置本体は、カートリッジ方式の画像形成装置においてカートリッジを除いた画像形成装置構成部分である。
【０００５】
像担持体としては、電子写真プロセスにおける電子写真感光体、静電記録プロセスにおける静電記録誘電体、磁気記録プロセスにおける磁気記録磁性体、その他の各種の画像形成原理・方式にて画像形成が可能な部材が挙げられる。画像形成プロセス手段は像担持体に作用して画像を形成する画像形成プロセス手段・機器である。
【０００６】
以下、便宜上、カートリッジ方式の電子写真画像形成装置を例にして説明する。カートリッジとしては、プロセスカートリッジを用いて説明する。プロセスカートリッジは、電子写真感光体と、この電子写真感光体に作用するプロセス手段とを一体的にカートリッジ化して、電子写真画像形成装置の装置本体に対して取り外し可能に装着されるものである。例えば、電子写真感光体と、前記プロセス手段としての、現像手段、帯電手段、クリーニング手段の少なくとも一つを一体的にカートリッジ化したものが挙げられる。
【０００７】
従って、プロセスカートリッジには、プロセス手段としての現像手段と、電子写真感光体とを一体的にカートリッジ化して、装置本体に取り外し可能に装着されるものも含まれる。また、プロセスカートリッジには、プロセス手段としての、帯電手段、現像手段またはクリーニング手段と、電子写真感光体とを一体的にカートリッジ化して、装置本体に取り外し可能に装着されるものも含まれる。
【０００８】
電子写真感光体と現像手段とを一体的に有するプロセスカートリッジを所謂一体型と称する。また、電子写真感光体と現像手段以外のプロセス手段とを一体的に有するプロセスカートリッジを所謂分離型と称する。即ち、現像手段をプロセスカートリッジとは別の現像ユニットに設けて、この現像ユニットと対になって画像を形成するプロセスカートリッジを所謂分離型と称する。プロセスカートリッジは、使用者自身によって装置本体に対する着脱を行うことができる。そのため、装置本体のメンテナンスを容易に行うことができる。
【０００９】
また、現像カートリッジとは、現像ローラ（電子写真感光体に現像剤を適用する現像剤担持体）を有する。また、現像ローラによって、電子写真感光体に形成された静電潜像を現像するのに用いられる現像剤（トナー）を収容しており、装置本体に取り外し可能に装着されるものである。
【００１０】
現像カートリッジの場合には、電子写真感光体は装置本体或いはカートリッジ支持部材に取り付けられている。或いは、電子写真感光体は、前記の所謂分離型プロセスカートリッジに設けられている（この場合には、プロセスカートリッジは、現像手段を有してはいない）。現像カートリッジも、使用者自身によって装置本体に対する着脱を行うことができる。そのため、装置本体のメンテナンスを容易に行うことができる。
【００１１】
そこで、カートリッジとしては、前記の所謂一体型又は所謂分離型のプロセスカートリッジが含まれる。また、カートリッジとしては、所謂分離型のプロセスカートリッジと現像カートリッジが対になって用いられる場合が含まれる。また、カートリッジとしては、電子写真感光体が装置本体或いはカートリッジ支持部材に固定して取り付けられており、電子写真感光体に作用可能に現像カートリッジが着脱可能に用いられる場合が含まれる。カートリッジとしては装置本体に取り外し可能に装着されて記録媒体に画像を形成する画像形成プロセスに寄与する画像形成機能ユニットが含まれる。
【背景技術】
【００１２】
上記のようなカートリッジには、近年、サービス情報やプロセス情報を記憶する記憶素子（メモリ）を搭載した製品が実現されている。画像形成装置は、このカートリッジの記憶素子情報を活用することにより、画質やカートリッジのメンテナンスをより一層向上させている。画像形成装置は、装置本体に設けたコネクタの本体電気接点と、カートリッジの記憶素子と接続された記憶素子接点との間で電気的接続を行うことで電気通信を行っている。
【００１３】
カートリッジの記憶素子接点と、装置本体に設けた本体電気接点との当接を、安定して行う構成として、装置本体からのコネクタの押圧方向と反対側にカートリッジを付勢する、バックアップ部材を設ける構成が考案されている（特許文献１）。
【先行技術文献】
【特許文献】
【００１４】
【特許文献１】特開２００４−４５８５７号公報
【発明の概要】
【発明が解決しようとする課題】
【００１５】
本発明は、上記従来例を発展させたものであり、カートリッジの記憶素子（メモリ）と接続された記憶素子接点と、装置本体に設けたコネクタの本体電気接点との当接を安定させることである。
【課題を解決するための手段】
【００１６】
上記目的を達成するための本発明に係るカートリッジの代表的な構成は、受け凹部と当接部と本体電気接点とを備えており記録媒体に画像を形成する画像形成装置の装置本体に取り外し可能に装着され、前記記録媒体に画像を形成する画像形成プロセスに寄与するカートリッジであって、前記装置本体の画像形成位置に装着され状態において、前記受け凹部に保持される第一位置決め突起と、前記第一位置決め突起とは異なる位置に配設されていて前記当接部に当接する第二位置決め突起と、情報を記憶する記憶素子と前記記憶素子と電気的に接続した記憶素子接点とを備え前記本体電気接点が前記記憶素子接点に当接する情報記憶部材と、を有し、前記本体電気接点から前記記憶素子接点へ作用する押圧によりカートリッジに作用する前記第一位置決め突起を中心とするモーメントが前記第二位置決め突起を前記当接部に押圧する向きに作用する構成であることを特徴とする。
【発明の効果】
【００１７】
本発明によれば、カートリッジの記憶素子と接続された記憶素子接点と、装置本体に設けた本体電気接点との当接を安定させることができる。
【図面の簡単な説明】
【００１８】
【図１】実施の形態１におけるプロセスカートリッジの斜視図である。
【図２】画像形成装置の装置本体及びプロセスカートリッジの断面図である。
【図３】プロセスカートリッジの拡大断面図である。
【図４】プロセスカートリッジの構成を説明する分解斜視図である。
【図５】クリーニングユニットの構成を説明する分解斜視図である。
【図６】現像装置ユニットの構成を説明する分解斜視図である。
【図７】情報記憶部材の外観図である。
【図８】情報記憶部材の取り付け構成を説明する斜視図（その１）である。
【図９】情報記憶部材の取り付け構成を説明する斜視図（その２）である。
【図１０】プロセスカートリッジの着脱構成の説明図である。
【図１１】本体電気接点ユニットの構成を説明する斜視図である。
【図１２】装置本体に対するプロセスカートリッジの装着を説明する斜視図（その１）である。
【図１３】装置本体に対するプロセスカートリッジの装着を説明する斜視図（その２）である。
【図１４】本体電気接点ユニットとプロセスカートリッジの係合を説明する斜視図（その１）である。
【図１５】本体電気接点ユニットとプロセスカートリッジの係合を説明する斜視図（その２）である。
【図１６】本体電気接点ユニットとプロセスカートリッジの係合を説明する斜視図（その１）である。
【図１７】本体電気接点ユニットとプロセスカートリッジの係合を説明する斜視図（その２）である。
【図１８】実施の形態２におけるプロセスカートリッジの斜視図である。
【図１９】開閉扉が開かれている状態の装置本体の斜視図である。
【図２０】本体電気接点ユニットの構成を説明する斜視図である。
【図２１】装置本体へのプロセスカートリッジの装着を説明する側面図（その１）である。
【図２２】装置本体へのプロセスカートリッジの装着を説明する側面図（その２）である。
【図２３】本体電気接点ユニットとプロセスカートリッジの係合を説明する斜視図である。
【発明を実施するための形態】
【００１９】
本発明の実施の形態を図面に基づいて説明する。実施の形態は、本発明を適用できる形態の一例ではあるものの、本発明は実施の形態にのみ限定されるものではなく本発明の思想の範囲内において種々の変形が可能である。実施の形態に記載されている構成部品の機能、材質、形状、相対配置などは特に特定的な記載がない限りはこの発明の範囲をそれらのみに限定する趣旨のものではない。
【００２０】
［実施の形態１］
（画像形成装置例の全体構成）
図２は本実施の形態１における画像形成装置１の縦断右側面模式図である。この画像形成装置１は電子写真プロセスを用いたカートリッジ方式のレーザプリンタ（電子写真画像形成装置）である。パソコン等のホスト装置３００から制御回路部２に入力する電気的画像信号に基づいて記録媒体としてのシート状の記録材（以下、シート材と記す）Ｐに画像の形成を行なうことができる。
【００２１】
ここで、この画像形成装置１に関して、正面側（前側、手前側）とは開閉扉１３を配設した側である。背面側（後側、奥側）とはそれとは反対側である。左右とは正面側から見て左と右である。上下とは重力方向において上と下である。前後方向とは後側から前側に向かう方向（前方向）と、その逆の方向（後方向）である。左右方向とは、右側から左側に向かう方向（左方向）と、その逆の方向（右方向）である。本例の画像形成装置１は右側を駆動側、左側を非駆動側としている。
【００２２】
画像形成装置１の装置本体Ａの内部の中央部にはカートリッジ装着部（カートリッジ収容部）Ａ１が設けられている。このカートリッジ装着部Ａ１に対して後述するカートリッジＢ（本実施の形態１においては、一体型のプロセスカートリッジ）が所定の装着位置（画像形成位置）Ｃに位置決めされて取り外し可能に装着されている。装着位置Ｃに装着されたカートリッジＢの上側に露光装置３（レーザスキャナユニット）が配置されている。
【００２３】
また、カートリッジＢの下側にシート材Ｐを収容したシートトレイ４が配置されている。更に、装置本体Ａ内には、シート材Ｐの搬送方向Ｄに沿って、ピックアップローラ５ａ、給送ローラ対５ｂ、搬送ローラ対５ｃ、転写ガイド６、転写ローラ７、搬送ガイド８、定着装置９、排出ローラ対１０等が順次配置されている。これらは、シートＰを搬送する搬送手段である。装置本体Ａの上面側に排出トレイ１１が配置されている。定着装置９は加熱ローラ９ａ及び加圧ローラ９ｂにより構成されている。シートトレイ４は画像形成装置１の正面側から装置本体Ａに対して出し入れできる（フロントローデング）。
【００２４】
装着位置Ｃに装着されているカートリッジＢにおける回転可能な像担持体としてのドラム型の電子写真感光体（以下、ドラムと記す）６２が矢印Ｒの時計方向に所定の周速度（プロセススピード）をもって回転駆動される。また、バイアス電圧が印加された帯電ローラ６６がドラム６２の外周面に接触し、ドラム６２の外周面を所定の極性と電位に一様均一に帯電する。
【００２５】
露光装置３は、画像情報に応じて変調されたレーザ光Ｌを出力する。そのレーザ光ＬがカートリッジＢの上面の露光窓部７４を通ってカートリッジＢ内に進入して、帯電処理されたドラム６２の外周面を走査露光する。これにより、ドラム６２の外周面には画像情報に対応した静電潜像が形成される。
【００２６】
一方、図３に示すように、現像装置としての現像装置ユニット２０において、トナー室（現像剤収納部）２９内のトナー（現像剤）Ｔは、搬送部材４３の回転によって撹拌、搬送され、トナー供給室２８に送り出される。トナーＴは、マグネットローラ３４（固定磁石）の磁力により、現像ローラ（現像剤担持体）３２の表面に担持される。トナーＴは、現像ブレード４２によって、摩擦帯電されつつ現像ローラ３２周面の層厚が規制される。そのトナーＴは、静電潜像に応じてドラム６２へ転移され、トナー像として可視像化される。
【００２７】
また、レーザ光Ｌの出力タイミングとあわせて、ピックアップローラ５ａ、給送ローラ対５ｂ、搬送ローラ対５ｃによって、装置本体Ａの下部に収納されたシート材Ｐがシートトレイ４から給送される。そして、そのシート材Ｐが転写ガイド６を経由して、ドラム６２と転写ローラ７との間の転写位置へ供給される。この転写位置において、トナー像はドラム６２からシート材Ｐに順次転写されていく。トナー像が転写されたシート材Ｐは、ドラム６２から分離されて搬送ガイド８に沿って定着装置９に搬送される。
【００２８】
シート材Ｐは、定着装置９を構成する加熱ローラ９ａと加圧ローラ９ｂとのニップ部を通過する。このニップ部で加圧・加熱定着処理が行われてトナー像はシート材Ｐに定着される。トナー像の定着処理を受けたシート材Ｐは、排出ローラ対１０まで搬送され、排出トレイ１１に排出される。一方、図３に示すように、転写後のドラム６２は、クリーニングブレード７７により外周面上の残留トナーが除去されて、再び、画像形成プロセスに使用される。ドラム６２から除去されたトナーはクリーニングユニット６０の廃トナー室７１ｂに貯蔵される。
【００２９】
（カートリッジ全体の構成）
カートリッジＢの全体構成について図３、図４を用いて説明する。このカートリッジＢは、上記のドラム（像担持体）６２と、これに作用するプロセス手段としての帯電ローラ（帯電手段）６６、現像ローラ（現像手段）３２、クリーニングブレード（クリーニング手段）７７を有する一体型のプリセスカートリッジである。カートリッジＢはドラム６２の回転軸線方向を長手とする左右方向に長いアセンブリである。カートリッジＢの長手方向において、装置本体Ａからドラム６２に駆動力を受ける一端側を駆動側（図１、図４、図５において駆動力受け部６３ａ側）とし、その反対端（他端側）を非駆動側とする。
【００３０】
図４は、カートリッジＢの構成を説明する分解斜視図である。カートリッジＢはクリーニングユニット６０と現像装置ユニット２０を合体して構成される。クリーニングユニット６０は、クリーニング枠体７１、ドラム６２、帯電ローラ６６およびクリーニングブレード７７等からなる。
【００３１】
現像装置ユニット２０は、底部材２２、現像容器２３、第１サイド部材２６Ｌ、第２サイド部材２６Ｒ、現像ブレード４２、現像ローラ３２、マグネットローラ３４、搬送部材４３、トナーＴ、付勢部材４６等からなる。
【００３２】
これらクリーニングユニット６０と現像装置ユニット２０を、結合部材７５によって互いに回動可能に結合することによってカートリッジＢを構成する。
【００３３】
具体的には、現像装置ユニット２０の長手方向（現像ローラ３２の軸線方向）の両端部にある第１サイド部材２６Ｌ及び第２サイド部材２６Ｒに形成したアーム部２６ａＬ、２６ａＲの先端に回動穴２６ｂＬ、２６ｂＲが設けられている。回動穴２６ｂＬ、２６ｂＲは現像ローラ３２と平行である。また、クリーニング枠体７１の長手両端部には、結合部材７５を嵌入するための嵌入穴７Ａ１が形成されている。
【００３４】
そして、アーム部２６ａＬ、２６ａＲをクリーニング枠体７１の所定の位置に合わせて、結合部材７５を回動穴２６ｂＬ、２６ｂＲと嵌入穴７Ａ１に挿入する。これにより、クリーニングユニット６０と現像装置ユニット２０が結合部材７５を中心に回動可能に結合される。
【００３５】
このとき、アーム部２６ａＬ、２６ａＲの根元に取り付けられた付勢部材４６がクリーニング枠体７１に当たり、結合部材７５を回動中心として現像装置ユニット２０をクリーニングユニット６０へ付勢している。これにより、現像ローラ３２はドラム６２の方向へ確実に押し付けられる。そして、現像ローラ３２の両端部に取り付けられた間隔保持部材３８（図６）によって、現像ローラ３２はドラム６２から所定の間隔α（図３）をもって保持される。
【００３６】
（クリーニングユニットの構成）
図５はクリーニングユニット６０の構成を説明する分解斜視図である。クリーニングブレード７７は、板金からなる支持部材７７ａとウレタンゴム等の弾性材料からなる弾性部材７７ｂからなり、支持部材７７ａの両端をビス９１で固定することで、クリーニング枠体７１に対して所定の位置に配置される。弾性部材７７ｂがドラム６２と当接し、ドラム６２の外周面上から残留トナーを除去する。除去されたトナーはクリーニングユニット６０の廃トナー室７１ｂ（図３）に貯蔵される。
【００３７】
第１シール部材８２（図３）、第２シール部材８３、第３シール部材８４及び、第４シール部材８５は、クリーニング枠体７１の所定の位置に両面テープ等で固定されている。
【００３８】
第１シール部材８２は、長手方向に渡って設けられ、クリーニングブレード７７の支持部材７７ａの裏側から廃トナーが漏出するのを防ぐ。第２シール部材８３は、クリーニングブレード７７の弾性部材７７ｂの長手両端から廃トナーが漏出するのを防ぐ。第３シール部材８４は、クリーニングブレード７７の弾性部材７７ｂの長手両端からの廃トナーが漏出するのを防止しつつ、ドラム６２上のトナー等の付着物を拭き取る。第４シール部材８５は、長手方向に渡ってドラム６２に接して設けられ、クリーニングブレード７７に対してドラム６２回転方向上流側から廃トナーが漏出するのを防ぐ。
【００３９】
電極板８１、付勢部材６８、帯電ローラ軸受６７Ｌ、６７Ｒは、クリーニング枠体７１に取り付けられる。帯電ローラ６６の軸部６６ａは、帯電ローラ軸受６７Ｌ、６７Ｒにはめ込まれる。帯電ローラ６６は付勢部材６８によって、ドラム６２に対して付勢されるとともに、帯電ローラ軸受６７Ｌ、６７Ｒによって回転可能に支持される。そして、ドラム６２の回転に伴って従動回転を行う。
【００４０】
電極板８１、付勢部材６８、帯電ローラ軸受６７Ｌ、軸部６６ａは導電性を有する。カートリッジＢが装着位置Ｃに装着されている状態において、電極板８１は、装置本体Ａ側の給電部（不図示）に接触している。これらを給電経路として帯電ローラ６６に給電する。
【００４１】
ドラム６２はフランジ６４、フランジ６３と一体的に結合され、電子写真感光体ドラムユニット（以下、ドラムユニット６１と記載する）となる。この結合方法は、カシメ、接着、溶着等を用いる。フランジ６４には、アース接点等（不図示）が結合されている。また、フランジ６３には、装置本体Ａから駆動力を受ける駆動力受け部６３ａと現像ローラ３２に駆動を伝えるフランジギア部６３ｂを有している。
【００４２】
軸受部材７６がビス９０によりクリーニング枠体７１の駆動側の側板に一体的に固定され、ドラム軸７８がクリーニング枠体７１の非駆動側の側板に圧入固定される。そして、軸受部材７６は、フランジ６３と嵌合し、ドラム軸７８は、フランジ６４の穴６４ａと嵌合する。
【００４３】
これにより、ドラムユニット６１はクリーニング枠体７１に回転可能に支持される。保護部材７９は、ドラム６２の保護（遮光）及び露出が可能となるように、クリーニング枠体７１に回動可能に支持される。付勢部材８０は、保護部材７９の駆動側の軸部７９ａＲに取り付けられ、保護部材７９をドラム６２を保護する向きに付勢する。保護部材７９の非駆動側の軸部７９ａＬと駆動側の軸部７９ａＲは、クリーニング枠体７１の軸受部７１ｃＬ、７１ｃＲに嵌合される。
【００４４】
カートリッジＢが装置本体Ａから取り外されている状態においては、保護部材７９は付勢部材８０の付勢力により軸部７９ａＬ、７９ａＲを中心に、図１のように、カートリッジＢの下面側に閉じ回動している。これにより、ドラム６２の下面が隠蔽されて保護される。
【００４５】
また、カートリッジＢが装着位置Ｃに装着された状態においては、保護部材７９は付勢部材８０の付勢力に抗して軸部７９ａＬ、７９ａＲを中心に、図２、図３のようにカートリッジＢの挿入方向Ｇの前方に開き回動している。これにより、ドラム６２の下面が開放されてドラム６２が転写ローラ７に対して所定に当接した状態になる。
【００４６】
保護部材７９はカートリッジ装着部Ａ１に対するカートリッジＢの挿入移動過程において装置本体Ａ側の係合部材（不図示）との係合により上記の閉じ状態から上記の開き状態に動作する。また、カートリッジ装着部Ａ１からのカートリッジＢの抜き出し移動過程において装置本体Ａ側の係合部材との係合により上記の開き状態から上記の閉じ状態に動作する。
【００４７】
また、クリーニング枠体７１の非駆動側と駆動側の側板の外面には、それぞれ、第一位置決め突起（位置決めボス）８７と、第二位置決め突起（位置決めボス）８８が左右対称的に設けられている。
【００４８】
本実施の形態１においては、非駆動側の第一位置決め突起８７は、非駆動側の側板に対してドラム軸７８を圧入固定する穴部と同軸に円柱状に設けたボス部である。駆動側の第一位置決め突起８７は、駆動側の側板にビス９０で一体的に固定される軸受部材７６の軸受け部に同軸に円筒状に設けたボス部である。この円筒状ボス部の内側にドラムユニット６１の駆動力受け部６３ａが位置している。したがって、本実施の形態１においては、非駆動側と駆動側の第一位置決め突起８７はドラム６２の回転軸線とほぼ同軸の部材である。
【００４９】
また、非駆動側と駆動側の第二位置決め突起８８は、それぞれ、カートリッジＢの挿入方向Ｇにおいて第一位置決め突起８７よりも上流側で第一位置決め突起８７よりも上側の位置に円柱状に設けたボス部である。
【００５０】
（現像装置ユニット）
図６は現像装置ユニット２０の構成を説明する分解斜視図である。現像容器２３と底部材２２からなる現像枠体は、トナーＴを収納するトナー室２９やトナー供給室２８（図３）を形成する。底部材２２および現像容器２３は、溶着等の手段により、一体に結合されている。搬送部材４３は、非駆動側を現像容器２３に支持され、駆動側を現像容器２３に取り付けられた搬送ギア５０によって支持される。これにより、搬送部材４３はトナー室２９内で搬送ギア５０に従い回転を行う。
【００５１】
トナーシール部材４５は現像容器２３に熱溶着されており、トナー室２９とトナー供給室２８を仕切っている。これにより、カートリッジＢの輸送中にトナー室２９からトナーＴが漏出するのを防止する。使用者がトナーシール部材４５を開封することによって、トナーＴがトナー供給室２８へ供給される。
【００５２】
第１シール部材５５、第２シール部材５６、および第３シール部材５７は、現像容器２３の所定の位置に両面テープ等で固定されている。第４シール部材５８は、現像容器２３と底部材２２が結合された後に、底部材２２の所定の位置に両面テープ等で固定される。さらに、第５シール部材５９は、現像容器２３に配置されている。第１シール部材５５は、現像ブレード４２の弾性部材４２ｂの長手両端からトナーＴが漏出するのを防ぐ。第２シール部材５６は、現像ローラ３２の長手両端からトナーＴが漏出するのを防ぐ。
【００５３】
第３シール部材５７は、長手方向に渡って設けられ、現像ブレード４２の支持部材４２ａの裏側からトナーＴが漏出するのを防ぐ。第４シール部材５８は、長手方向に渡って現像ローラ３２に接して設けられ、現像ローラ３２下側からトナーＴが漏出するのを防ぐ。第５シール部材５９は、トナーシール部材４５が開封され現像装置ユニット２０の外に取り出し開口（不図示）から取り出される際に、トナーシール部材４５の表面に付着したトナーＴを拭き取ると同時に、取り出し開口と密着してトナーＴが漏出するのを防ぐ。
【００５４】
現像ブレード４２は、板金からなる支持部材４２ａとウレタンゴム等の弾性材料からなる弾性部材４２ｂで構成され、清掃部材４７と共に支持部材４２ａの両端をビス９３で現像容器２３に対して所定の位置に固定される。弾性部材４２ｂは現像ローラ３２と当接し、現像ローラ３２の周面のトナー量を規定すると共に摩擦帯電電荷を付与する。清掃部材４７は、現像ローラ３２の端部表面と当接して、トナー等の付着物を清掃する。現像ローラユニット３１は、現像ローラ３２、マグネットローラ３４、フランジ３５、間隔保持部材３８、軸受部材３７および現像ローラギア３９等によって構成される。
【００５５】
現像ローラ３２の非駆動側端部からマグネットローラ３４が挿入され、端部にはフランジ３５が圧入固定されている。フランジ３５には導電性の電極線（不図示）が組み込まれており、電極線は現像ローラ３２および電極板２７に当接している。導電性の電極板２７は、第１サイド部材２６Ｌに固定される。カートリッジＢが装着位置Ｃに装着されている状態において、電極板２７は、装置本体Ａ側の給電部（不図示）に接触しており、電極板２７、電極線を給電経路として現像ローラ３２に給電する。
【００５６】
間隔保持部材３８は、現像ローラ３２の両端部に取り付けられる。その外側に軸受部材３７が配置され、駆動側においては、その外側に現像ローラギア３９が組み込まれる。両端に配置された、軸受部材３７によって現像ローラ３２は回転可能に支持される。駆動伝達部材である第１ギア４８と第２ギア４９は、現像枠体に回転可能に取り付けられている。
【００５７】
第１サイド部材２６Ｌ、第２サイド部材２６Ｒは、現像枠体の長手方向の両端にビス９２を用い固定される。その際、現像ローラユニット３１の軸受部材３７は、第１サイド部材２６Ｌ、第２サイド部材２６Ｒによって保持される。
【００５８】
カートリッジＢが装着位置Ｃに装着されている状態において、装置本体Ａ側の駆動出力部Ａ３（図１０の（ｂ））からクリーニングユニット６０側の駆動力受け部６３ａに駆動力が伝達される。これによりドラムユニット６１のドラム６２とフランジギア部６３ｂ（図５）が回転駆動される。そして、フランジギア部６３ｂ（図５）、現像ローラギア３９、第１ギア４８、第２ギア４９および、搬送ギア５０が順次噛み合い、回転することにより、駆動力受け部６３ａが受けた駆動力が現像装置ユニット２０の現像ローラ３２、搬送部材４３へ伝達される。
【００５９】
（情報記憶部材）
カートリッジＢには情報記憶部材（以下、メモリタグと記す）１００が設けられている。本実施の形態１においては、図１のように、クリーニング枠体７１の非駆動側の下面にメモリタグ１００とコネクタ位置決め穴８６が設けられている。メモリタグ１００は、図７の（ｂ）のように、基板１０１の一面側に情報を記憶する記憶素子１００ａ（点線で表示。以下、メモリと記す）が設けられており、樹脂によるコーティング層１０２で保護されている。基板１０１の他面側には、図７の（ａ）のように、メモリ１００ａから電気的に導通している記憶素子接点１００ｂ（以下、メモリ接点と記す）が設けられている。
【００６０】
カートリッジＢが装着位置Ｃに装着された状態において、カートリッジＢ側のメモリ接点１００ｂと装置本体Ａ側に設けた後述する本体電気接点２０１（図１１）とが当接する。そして、メモリ１００ａと装置本体Ａの制御回路部２との間で通信（情報の授受）が行なわれる。
【００６１】
カートリッジＢに対するメモリタグ１００の装着方法について説明する。図８に示すようにクリーニング枠体７１に設けられたスリット部７２に図中矢印Ｗの方向からメモリタグ１００を、メモリ接点１００ｂの側を外向きにして挿入する。
【００６２】
メモリタグ１００はスリット部７２に嵌合し、メモリタグ１００のカートリッジＢの長手方向の位置が決められている。短手方向は、メモリタグ１００の先端部１００ｃをスリット部７２の当接部７２ａに突き当てて位置を決められている（図９参照）。
【００６３】
この状態で、スリット部７２の入り口に設けられた溶融リブ７３を、インパルスウェルダ等を用いて加熱溶融させる。溶融リブ７３がメモリタグ１００の抜けを防止するように溶融した状態で溶融部の冷却固化を行う。こうすることで、メモリタグ１００がクリーニング枠体７１に装着される。また、カートリッジＢのメモリタグ１００の長手両外部には、コネクタ位置決め穴８６が設けられている。
【００６４】
（本体電気接点）
図１０の（ａ）に示すように、装置本体Ａ内のカートリッジ装着部Ａ１において非駆動側には本体電気接点ユニット２００が設けられている。本体電気接点ユニット２００の周りの様子を図１１に示す。図１１に示すように、本体電気接点２０１を持つコネクタ２０２がコネクタホルダ２０３に係止されている。コネクタホルダ２０３には、ホルダ位置決め突起２０３ａが設けられている。コネクタホルダ２０３は、ホルダカバー２０４に図中Ｙ方向（前後方向）に移動可能に係止されている。また、ホルダカバー２０４は、ベースカバー２０５に図中矢印Ｘ方向（左右方向）に移動可能に係止されている。
【００６５】
ベースカバー２０５は、装置本体Ａの非駆動側の側板１６Ｌに設けられた回動軸１７に対して回動可能に設けられており、付勢バネ２０６により図中矢印Ｋ方向（跳ね上げ方向）に回動付勢されている。また、ベースカバー２０５には、回転止めボス２０５ａが設けられており、側板１６Ｌのガイド穴１６ａに挿入されていて、回動軸１７回りの動きをガイドしている。
【００６６】
図１１に示したベースカバー２０５の自由状態時は、回転止めボス２０５ａがガイド穴１６ａの上端の回転止め面１６ｂに当接してそれ以上の上方への移動が規制されており、ベースカバー２０５の図中矢印Ｋ方向の跳ね上げ移動位置が決められている。すなわち、コネクタ２０２は装置本体Ａに対して、図中矢印Ｘ，Ｙ方向に移動可能に、かつ、図中矢印Ｋ方向に付勢されつつ回動可能に支持されている。
【００６７】
（カートリッジ着脱）
装置本体Ａに対するカートリッジＢの着脱について説明する。本実施の形態１の画像形成装置１においては、図２、図１０の（ａ）のように、装置本体Ａに対して、装置本体Ａの正面側のほぼ上側半部および上面側のほぼ手前側半部を開放することができる開閉扉１３が配設されている。開閉扉１３は装置本体Ａに対してヒンジ部（回動中心）１３ａを中心に開閉可能に取り付けられている。開閉扉１３はヒンジ部１３ａを中心に図２のように装置本体Ａに対して手前側に倒し込んだ閉鎖位置Ｗ１と、図１０の（ａ）のように、装置正面から見て後側上方に立て起こした開放位置Ｗ２とに回動可能である。
【００６８】
開閉扉１３の閉鎖状態はロック手段（不図示）により保持される。開閉扉１３の取手部１３ｂに手指を掛けて取手部１３ｂに配設されているロック解除部材を動かすことでロックが解除されて開閉扉１３を閉鎖位置Ｗ１から開放位置Ｗ２へ移動させることができる。開閉扉１３を閉鎖位置Ｗ１から開放位置Ｗ２に移動させると、開閉扉１３はスタンド部材１３ｃの起立力により開放位置Ｗ２に保持される。この開閉扉１３の開きにより、図１０の（ａ）のように、装置本体Ａの正面側のほぼ上側半部および上面側のほぼ手前側半部に形成された開口部Ａ２が開放される。
【００６９】
この開口部Ａ２は、装置本体Ａの内部のカートリッジ装着部Ａ１へカートリッジＢを挿入する際にカートリッジＢが通過し、かつ装置本体Ａの外部へカートリッジＢが通過しうる大きさの開口部である。装置本体Ａに対するカートリッジＢの着脱は開閉扉１３を図１０の（ａ）のように開いた状態にして行う。
【００７０】
そして、装着位置ＣにカートリッジＢが装着されている状態では開口部Ａ２から装着されているカートリッジＢの現像ユニット２０の側が露呈している。カートリッジＢが装着されていない状態ではカートリッジ装着部Ａ１が見える（図１０の（ａ））。
【００７１】
装置本体Ａの駆動側の駆動出力部Ａ３（図１０の（ｂ））は、開閉扉１３の開閉回動に連動する連動機構（不図示）の動作でカートリッジ装着部Ａ１側に所定に突き出た状態とカートリッジ装着部Ａ１側から退避した状態とに転換される。開閉扉１３の閉鎖状態時には駆動出力部Ａ３はカートリッジ装着部Ａ１側に所定に突き出た状態にある。開閉扉１３の開放状態時には駆動出力部Ａ３はカートリッジ装着部Ａ１側から退避した状態にある。
【００７２】
したがって、カートリッジＢが装着位置Ｃに装着されている場合において、開閉扉１３の閉鎖位置Ｗ１から開放位置Ｗ２への移動に連動してカートリッジＢの駆動力受け部６３ａに対する装置本体Ａ側の駆動出力部Ａ３の結合が解除される。これにより、カートリッジＢのカートリッジ装着部Ａ１からの取り出しが可能な状態になる。
【００７３】
図１０の（ａ）と（ｂ）に示すように、装置本体Ａ内のカートリッジ装着部Ａ１における非駆動側の側板１６Ｌと駆動側の側板１６Ｒには、それぞれ、カートリッジガイド部材１２Ｌ、１２Ｒが設けられている。カートリッジガイド部材１２Ｌ、１２Ｒは、カートリッジＢをカートリッジ装着部Ａ１に対して着脱する際にカートリッジＢを装着方向と取り出し方向に案内する。
【００７４】
本実施の形態１において、非駆動側と駆動側のカートリッジガイド部材１２Ｌ、１２Ｒは、それぞれ、上ガイド面１２ａと下ガイド溝１２ｂを有する左右ほぼ対称構成である。上ガイド面１２ａと下ガイド溝１２ｂは並行であり、装置正面側から見て後方に向かって斜め下向きの傾斜している。
【００７５】
非駆動側のカートリッジガイド部材１２Ｌにおいて、下ガイド溝１２ｂにはカートリッジＢの非駆動側の第一位置決め突起８７が嵌入係合して溝に沿って案内され、上ガイド面１２ａには第二位置決め突起８８が乗りガイド面に沿って案内される。駆動側のカートリッジガイド部材１２Ｒにおいて、下ガイド溝１２ｂにはカートリッジＢの非駆動側の第一位置決め突起８７が嵌入係合して溝に沿って案内され、上ガイド面１２ａには第二位置決め突起８８が乗りガイド面に沿って案内される。
【００７６】
カートリッジＢのカートリッジ装着部Ａ１への装着は次のとおりである。装着するカートリッジＢが新品である場合には、現像装置ユニット２０においてトナー室２９とトナー供給室２８とがトナーシール部材４５で仕切られている。そこで、図１の（ａ）において、現像装置ユニット２０の第１サイド部材２６Ｌから外側に出ているトナーシール部材４５の端部をつまんでトナーシール部材４５を引き抜いて除去（開封）する。これにより、トナー室２９からトナー供給室２８へトナーＴが供給される。
【００７７】
装置本体Ａの開閉扉１３を開けて開口部Ａ２を開放する。カートリッジＢを、現像ユニッツト２０側を掴みクリーニングユニット６０側を先にして開口部Ａ２からカートリッジ装着部Ａ１内に差し入れる。即ち、カートリッジＢは長手方向（ドラム６２の回転軸線方向）に直交する方向においてクリーニングユニット６０側を先にし、非駆動側を左側、駆動側を右にして、カートリッジ装着部Ａ１内に差し入れられる。
【００７８】
そして、カートリッジＢの非駆動側と駆動側の第一位置決め突起８７と第二位置決め突起８８を、それぞれ、カートリッジ装着部Ａ１の非駆動側と駆動側のカートリッジガイド部材１２Ｌ、１２Ｒの下ガイド溝１２ｂと上ガイド面１２ａに係合させる。更に、第一位置決め突起８７と第二位置決め突起８８を下ガイド溝１２ｂと上ガイド面１２ａに沿わせながらに沿わせながら、カートリッジＢを挿入方向Ｇに移動する。
【００７９】
図１２及び図１３を用いてカートリッジＢのカートリッジ装着部Ａ１に対する装着の様子を説明する。図１２及び図１３は非駆動側の装着に関する図であるが、駆動側もこの非駆動側と同様な過程で装着がなされる。なお、図１２及び図１３では説明を容易にするため、一部の部品（例えば、保護部材７９など）を省略している。
【００８０】
図１２に示すように、カートリッジＢの装着は、第二位置決め突起８８をガイド部材１２の上ガイド面１２ａに、第一位置決め突起８７を下ガイド溝１２ｂに沿わせて挿入する。こうすることでカートリッジＢは、上ガイド面１２ａと下ガイド溝１２ｂによって挿入軌跡を規制されつつ装置本体Ａに挿入される。
【００８１】
更にカートリッジＢを押し込むと、図１３に示すように、カートリッジＢの第一位置決め突起８７は、下ガイド溝１２ｂの終端に形成した受け凹部１２ｂ１に落ち込み、位置が決められる。同様に、第二位置決め突起８８が上ガイド面１２ａの終端に形成した、カートリッジの回転止め部としての当接部１２ａ１に当接する。
【００８２】
カートリッジＢは、重心が第一位置決め突起８７よりも、現像装置ユニット２０側にあるため、カートリッジＢには第一位置決め突起８７周りに図中矢印Ｍで示す向きにモーメントが作用する。このモーメントは、第二位置決め突起８８が当接する当接部１２ａ１から第二位置決め突起８８に作用する反力Ｆ１によるモーメントで打ち消され、カートリッジＢの回転方向の位置が決められている。このようにして、カートリッジＢは装置本体Ａのカートリッジ装着部Ａ１の装着位置（画像形成位置）Ｃに装着される。
【００８３】
カートリッジＢの保護部材７９はカートリッジ装着部Ａ１に対するカートリッジＢの挿入移動過程において装置本体Ａ側の係合部材（不図示）との係合により閉じ状態から開き状態に動作する。図１２及び図１３には保護部材７９は省略してある。
【００８４】
装置本体Ａ側の駆動出力部Ａ３は、図１０の（ｂ）のように、駆動側のカートリッジガイド部材１２Ｌにおいて、下ガイド溝１２ｂの終端に形成した受け凹部１２ｂ１に対応する位置に配設されている。そして、前述したように、開閉扉１３の開放状態時には駆動出力部Ａ３はカートリッジ装着部Ａ１側から退避した状態にある。即ち、受け凹部１２ｂ１から退避した状態にある。
【００８５】
従って、カートリッジＢの駆動側の第一位置決め突起８７が下ガイド溝１２ｂの終端に形成した受け凹部１２ｂ１に対して落ち込むときに、駆動出力部Ａ３と干渉しない。そして、第一位置決め突起８７が受け凹部１２ｂ１に対して落ち込んだ状態において、第一位置決め突起８７の内側の駆動力受け部６３ａが退避している駆動出力部Ａ３に対して対向した状態になる。
【００８６】
そして、開閉扉１３を開放位置Ｗ２から閉鎖位置Ｗ１へスタンド部材１３ｃの起立力に抗して移動させて閉じてロック手段で保持させる。この開閉扉１３の開放位置Ｗ２から閉鎖位置Ｗ１への移動に連動して装置本体Ａ側の駆動出力部Ａ３がカートリッジ装着部Ａ１側に突出移動してカートリッジＢの駆動力受け部６３ａに対して結合した状態になる。また、カートリッジＢが装着位置Ｃに装着されている状態において、カートリッジＢ側の前記の電極板８１、２７がそれぞれ装置本体Ａ側の給電部（不図示）に接触している。この状態において画像形成装置１は画像形成動作が可能である。
【００８７】
装着位置Ｃに装着されているカートリッジＢの取り出しは次のとおりである。開閉扉１３を開けて開口部Ａ２を開放する。この開閉扉１３の開放により駆動出力部Ａ３がカートリッジ装着部Ａ１側から退避してカートリッジＢ側の駆動力受け部６３ａとの結合が解除される。開放された開口部Ａ２には装着されているカートリッジＢの現像装置ユニット２０が露呈している。そこで、現像装置ユニット２０を掴んで、カートリッジＢを挿入方向Ｇとは逆方向に引き抜き移動する。
【００８８】
その引き抜き力により、カートリッジＢの非駆動側と駆動側の第一位置決め突起８７と第二位置決め突起８８が、それぞれ、落ち込んでいる受け凹部１２ｂ１と当接部１２ａ１から下ガイド溝１２ｂと上ガイド面１２ａとに乗り上がる。そして、第一位置決め突起８７と第二位置決め突起８８を、それぞれ、下ガイド溝１２ｂと上ガイド面１２ａに沿わせながらカートリッジＢを取り出し方向に移動する。
【００８９】
これにより、カートリッジＢは装置本体Ａから外部に取り出される。カートリッジＢの保護部材７９はカートリッジ装着部Ａ１からのカートリッジＢの取り出し移動過程において装置本体Ａ側の係合部材（不図示）との係合により開き状態から閉じ状態に動作する。
【００９０】
（本体電気接点とメモリタグの当接）
次に、装置本体Ａの本体電気接点２０１と、カートリッジＢのメモリ接点１００ｂの当接について、図１４乃至図１６で説明する。なお、図では説明の為、一部部品（例えば、保護部材７９など）を省略している。
【００９１】
図１４はカートリッジＢの装着途中の非駆動側を見た斜視図である。前述のように、本体電気接点ユニット２００は図中矢印Ｋ方向に付勢されつつ、回転止めボス２０５ａが側板１６に設けられた回転止め部１６ｂに当接して位置が決まっている。
【００９２】
図１５はさらにカートリッジＢを装着方向に移動させた図である。図に示すように、カートリッジＢが本体電気接点ユニット２００に当接し、本体電気接点ユニット２００は回動軸１７を中心にして、図中矢印Ｎ方向に回転する。同時に、本体電気接点ユニット２００のホルダ位置決め突起２０３ａがカートリッジＢのコネクタ位置決め穴８６に係合してゆく。
【００９３】
このとき、ホルダ位置決め突起２０３ａとコネクタ位置決め穴８６は、装着時のガタによりお互いの位置がずれている。しかしながら、前述のようにコクタホルダ２０３は図１１に示す矢印Ｘ、Ｙ方向に移動可能である。よって、ホルダ位置決め突起２０３ａはカートリッジＢのコネクタ位置決め穴８６にならうように移動しつつ係合してゆく。
【００９４】
そして、図１６の（ａ）に示すように、カートリッジＢ側の第一位置決め突起８７と第二位置決め突起８８が、それぞれ、装置本体Ａ側の受け凹部１２ｂ１と当接部１２ａ１に落ち込んでカートリッジＢが画像形成位置に装着される。このようにカートリッジＢが装着されたとき、本体電気接点ユニット２００のホルダ位置決め突起２０３ａはカートリッジＢのコネクタ位置決め穴８６に十分に係合する。
【００９５】
このときの断面図を図１６の（ｂ）に示す。本体電気接点ユニット２００のホルダ位置決め突起２０３ａの先端２０３ｂはカートリッジＢのコネクタ位置決め穴８６の底面８６ａに当接している。また、コネクタ２０２の本体電気接点２０１はメモリ接点１００ｂに当接する。
【００９６】
ここで、図１１で説明した付勢バネ２０６による付勢力Ｆ２（図１７参照）は、２ヶ所のホルダ位置決め突起２０３ａの先端２０３ｂと、２ヶ所の本体電気接点２０１からカートリッジＢに作用する。この付勢力Ｆ２は、図１７に示すように、カートリッジＢに作用し、第一位置決め突起（位置決めボス）８７周りに図中矢印Ｍ方向にモーメントを発生させる。このモーメントは第二位置決め突起８８が当接する、当接部１２ａ１から第二位置決め突起８８に作用する反力Ｆ３によるモーメントで打ち消される。
【００９７】
換言すれば、カートリッジＢの回転止め部を、本体電気接点ユニットの押圧力によってカートリッジに発生するモーメントを打ち消す向きの反力が作用する位置に配置する。本体電気接点部からの押圧力によるカートリッジのモーメントを打ち消して、カートリッジに設けたメモリタグ接点と、画像形成装置の装置本体に設けた電気接点との安定した当接を実現するのである。
【００９８】
この構成によれば、本体電気接点ユニット２００からの押圧力により、カートリッジＢにモーメントが作用しても、第二位置決め突起８８に作用する、当接部１２ａ１からの反力によりモーメントが打ち消される。そのため、カートリッジＢの姿勢を安定させることができる。さらに、カートリッジＢの姿勢が安定していることにより、カートリッジＢのメモリ接点１００ｂと、本体電気接点ユニット２００との本体電気接点２０１の安定した当接が実現できる。
【００９９】
以上、本実施の形態１によれば、カートリッジＢに本体電気接点２０１から押圧力が作用しても、カートリッジＢの姿勢を安定させることができる。さらに、カートリッジＢのメモリ１００ａと接続されたメモリ接点１００ｂと、装置本体Ａに設けたコネクタ２０２の本体電気接点２０１と、を安定して当接させることができる。
【０１００】
［実施の形態２］
図１８は本実施の形態２におけるカートリッジＢの外観図である。このカートリッジＢは、非駆動側と駆動側の第二位置決め突起８８とメモリタグ１００の配設位置が実施の形態１におけるカートリッジＢの場合と異なるだけである。それ以外のカートリッジ構成は実施の形態１におけるカートリッジＢと同様であるから再度の説明を省略する。
【０１０１】
本実施の形態２のカートリッジＢの場合は、非駆動側と駆動側の第二位置決め突起８８は、それぞれ、次のように設けられている。即ち、図１８に示すように、クリーニング枠体７１の非駆動側と駆動側の側板の外面において、ドラム６２と同軸に設けられた第一位置決め突起８７よりもカートリッジＢの挿入方向Ｇにおいて下流側で、第一位置決め突起８７よりも上側の位置に設けられている。
【０１０２】
また、メモリタグ１００は、クリーニング枠体７１の非駆動側の上面部であって、第一位置決め突起８７よりもカートリッジＢの挿入方向Ｇの上流側に設けられている。また、メモリタグ１００の両端にはコネクタ位置決め穴８６が設けられている。
【０１０３】
図１９は本実施の形態２における画像形成装置１の装置本体Ａの斜視図であり、開閉扉１３が開けられて開口部Ａ２が開放されており、カートリージ装着部Ａ１にカートリッジＢが装着されていない状態時を示している。図に示すように、本体電気接点ユニット２００が装置本体Ａの天板１８に、本体電気接点２０１が下向きになるように設けられている。装置本体Ａについて実施の形態１と同様の構成部分には同じ符号を付して再度の説明を省略する。カートリージ装着部Ａ１に対するカートリッジＢの着脱構成、着脱要領も実施の形態１と同様であるから再度の説明を省略する。
【０１０４】
図２０の（ａ）に本体電気接点ユニット２００の外観図を示す。図に示すように、本体電気接点２０１を持つコネクタ２０２がコネクタホルダ２０３に係止されている。コネクタホルダ２０３には、ホルダ位置決め突起２０３ａが設けられている。コネクタホルダ２０３は、ホルダカバー２０４に図中Ｙ方向に移動可能に係止されている。
【０１０５】
図２０の（ｂ）は本体電気接点ユニット２００の分解斜視図である。図に示すように、ベースカバー２０８とホルダカバー２０４の間には付勢バネ２０７が圧縮されるように設けられている。両部品が組みつけられている状態では、ホルダカバー２０４の２ヶ所のツメ部２０４ａがベースカバー２０８の稜線部２０８ａに係合されている。
【０１０６】
そして、ホルダカバー２０４はベースカバー２０８に対して図２０（ａ）（ｂ）の図中矢印Ｚ方向に付勢されつつ、移動可能である。また、稜線部２０８ａの幅はツメ部２０４ａの幅より広く設定されており、ホルダカバー２０４はベースカバー２０８に対して図２０（ａ）（ｂ）の図中矢印Ｘ方向に移動可能である。
【０１０７】
すなわち、コネクタ２０２はベースカバー２０８に対して、図中矢印Ｘ，Ｙ，Ｚ方向に移動可能に、かつ、図中矢印Ｚ方向に付勢された状態で係止されている。
【０１０８】
（本体電気接点とメモリタグの当接）
図２１及び図２２を用いてカートリッジＢが装着位置Ｃに装着されたを説明する。図２１及び図２２は非駆動側の装着に関する図であるが、駆動側もこの非駆動側と同様な過程で装着がなされる。本体電気接点ユニット２００は装置本体Ａの天板１８に設けられている。さらに、開閉扉１３に係合しているリンク機構（不図示）が、係合部材１９を介して係合しており、開閉扉１３が開いたときは図中矢印Ｊ１方向に、閉じた時は図中矢印Ｊ２方向に移動可能に支持されている。
【０１０９】
図に示すようにカートリッジＢが装着位置にあるとき、カートリッジＢは、重心が第一位置決め突起８７よりも、現像装置ユニット２０側にあり、カートリッジＢには第一位置決め突起８７周りに図中矢印Ｍで示す向きにモーメントが作用する。このモーメントは第二位置決め突起８８が当接する当接部１２ａ１から、第二位置決め突起８８に作用する反力Ｆ４によるモーメントで打ち消され、カートリッジＢの回転方向の位置が決められている。
【０１１０】
図２２は開閉扉１３を閉めたときの状態である。開閉扉１３を閉めると、開閉扉１３に係合しているリンク機構（不図示）により係合部材１９を介して、電気接点ユニット２００が図中矢印Ｊ２方向に押し出される。こうして本体電気接点ユニット２００のホルダ位置決め突起２０３ａはカートリッジＢのコネクタ位置決め穴８６に係合する。
【０１１１】
このとき、ホルダ位置決め突起２０３ａとコネクタ位置決め穴８６は、装着時のガタによりお互いの位置がずれている状態で係合を始める。しかしながら、前述のようにコクタホルダ２０３は図２０に示す矢印Ｘ、Ｙ方向に移動可能である。よって、ホルダ位置決め突起２０３ａはカートリッジＢのコネクタ位置決め穴８６にならうように移動しつつ係合してゆく。
【０１１２】
このときの断面斜視図を図２３に示す。図では説明の為一部部品を省略している。図に示すように、本体電気接点ユニット２００のホルダ位置決め突起２０３ａの先端２０３ｂはカートリッジＢのコネクタ位置決め穴８６の底面８６ａに当接している。また、コネクタ２０２の本体電気接点２０１はメモリ接点１００ｂに当接する。このとき、図２０の（ｂ）で説明した付勢バネ２０７による付勢力は、２ヶ所のホルダ位置決め突起２０３ａの先端２０３ｂと、２ヶ所の本体電気接点２０１からカートリッジＢに作用する。
【０１１３】
図２２に付勢バネ２０７による付勢力Ｆ５を示す。付勢力Ｆ５は、カートリッジＢに作用し、第一位置決めボス８７周りに図中矢印Ｍ方向にモーメントを発生させる。このモーメントは第二位置決め突起８８が当接する、当接部１２ａ１から第二位置決め突起８８に作用する反力Ｆ６によるモーメントで打ち消される。
【０１１４】
換言すれば、本実施の形態２の場合も、カートリッジＢの回転止め部を、本体電気接点ユニットの押圧力によってカートリッジに発生するモーメントを打ち消す向きの反力が作用する位置に配置する。本体電気接点部からの押圧力によるカートリッジのモーメントを打ち消して、カートリッジに設けたメモリタグ接点と、画像形成装置の装置本体に設けた電気接点との安定した当接を実現するのである。
【０１１５】
この構成によれば、本体電気接点ユニット２００からの押圧力により、カートリッジＢにモーメントが作用しても、第二位置決め突起８８に作用する、当接部１２ａ１からの反力によりモーメントが打ち消される。そのため、カートリッジＢの姿勢を安定させることができる。
【０１１６】
また、カートリッジＢに作用する本体電気接点ユニット２００からの付勢力Ｆ５及びＦ６はカートリッジＢを図中下方向に作用するため、カートリッジＢの第一位置決め突起８７が、非駆動側ガイド部材１２の受け凹部１２ｂ１に強く押圧される。その結果、カートリッジＢの位置がより安定して保持される。つまり、カートリッジの装置本体に対する位置決めを安定的に行うことができる。
【０１１７】
さらに、カートリッジＢの姿勢が安定していることにより、カートリッジＢのメモリ接点１００ｂと、本体電気接点ユニット２００の本体電気接点２０１の安定した当接が実現できる。
【０１１８】
また、この構成では装置本体Ａの本体電気接点２０１が装置本体Ａの上部から下向きに設けられているため、本体電気接点２０１への異物や塵埃等の付着が軽減でき、接点の導通不良や、ショートなどを起因とする動作を防止することができる。
【０１１９】
以上、本実施の形態２によれば、カートリッジＢに本体電気接点から押圧力が作用しても、カートリッジＢの姿勢を安定させることができる。さらに、カートリッジＢのメモリ１００ａと接続されたメモリ接点１００ｂと、装置本体Ａに設けたコネクタ２０２の本体電気接点２０１と、を安定して当接させることができる。
【０１２０】
さらに、本構成はコネクタ２０２が装置本体Ａの上部に配置され、本体電気接点２０１が下向きに設置されているため、本体電気接点２０１に汚れ、異物等が堆積、付着しにくく、より安定した接点の当接が実現できる。
【０１２１】
上述した実施の形態１、２のカートリッジＢの構成をまとめると次のとおりである。受け凹部１２ｂ１と当接部１２ａ１と本体電気接点２０１とを備えており記録媒体Ｐに画像を形成する画像形成装置１の装置本体Ａに取り外し可能に装着され、記録媒体Ｐに画像を形成する画像形成プロセスに寄与するカートリッジＢである。
【０１２２】
カートリッジＢは、装置本体Ａの画像形成位置Ｃに装着され状態において、受け凹部１２ｂ１に保持される第一位置決め突起８７と、第一位置決め突起８７とは異なる位置に配設されていて当接部１２ａ１に当接する第二位置決め突起８８と、を有する。また、情報を記憶する記憶素子１００ａと記憶素子１００ａと電気的に接続した記憶素子接点１００ｂとを備え本体電気接点２０１が記憶素子接点１００ｂに当接する情報記憶部材１００を有する。
【０１２３】
そして、本体電気接点２０１から記憶素子接点１００ｂへ作用する押圧によりカートリッジＢに作用する第一位置決め突起８７を中心とするモーメントが第二位置決め突起８８を当接部１２ａ１に押圧する向きに作用する構成である。
【０１２４】
画像形成装置１の構成をまとめると次のとおりである。記録媒体Ｐに画像を形成する画像形成装置である。受け凹部１２ｂ１と、当接部１２ａ１と、本体電気接点２０１と、画像形成装置１の装置本体Ａに取り外し可能に装着され、記録媒体Ｐに画像を形成する画像形成プロセスに寄与するカートリッジＢと、を有する。
【０１２５】
カートリッジＢは、装置本体Ａの画像形成位置Ｃに装着され状態において、受け凹部１２ｂ１に保持される第一位置決め突起８７と、第一位置決め突起８７とは異なる位置に配設されていて当接部１２ａ１に当接する第二位置決め突起（８８）と、を有する。また、情報を記憶する記憶素子１００ａと記憶素子１００ａと電気的に接続した記憶素子接点１００ｂとを備え本体電気接点２０１が記憶素子接点１００ｂに当接する情報記憶部材１００を有する。
【０１２６】
そして、本体電気接点２０１から記憶素子接点１００ｂへ作用する押圧によりカートリッジＢに作用する第一位置決め突起８７を中心とするモーメントが第二位置決め突起８８を当接部１２ａ１に押圧する向きに作用する構成である。
【０１２７】
画像形成装置の装置本体Ａの構成をまとめると次のとおりである。カートリッジＢが取り外し可能に装着されて記録媒体Ｐに画像を形成する画像形成装置１の装置本体である。
【０１２８】
カートリッジＢは、第一位置決め突起８７と、第一位置決め突起８７とは異なる位置に配設された第二位置決め突起８８と、を有する。また、情報を記憶する記憶素子１００ａと記憶素子１００ａと電気的に接続した記憶素子接点１００ｂとを備えた情報記憶部材１００を有する。
【０１２９】
装置本体Ａは、カートリッジＢが画像形成位置Ｃに装着され状態において、第一位置決め突起８７を保持する受け凹部１２ｂ１と、第二位置決め突起８８が当接する当接部１２ａ１と、記憶素子接点１００ｂに当接する本体電気接点２０１と、を有する。
【０１３０】
そして、本体電気接点２０１から記憶素子接点１００ｂへ作用する押圧によりカートリッジＢに作用する第一位置決め突起８７を中心とするモーメントが第二位置決め突起８８を当接部１２ａ１に押圧する向きに作用する構成である。
【０１３１】
カートリッジ装着システムの構成をまとめると次のとおりである。記録媒体Ｐに画像を形成する画像形成装置１の装置本体Ａに取り外し可能に装着され、記録媒体Ｐに画像を形成する画像形成プロセスに寄与するカートリッジＢの装着システムである。装置本体Ａは受け凹部１２ｂ１と当接部１２ａ１と本体電気接点２０１とを備えている。
【０１３２】
カートリッジＢは、装置本体Ａの画像形成位置Ｃに装着され状態において、受け凹部１２ｂ１に保持される第一位置決め突起８７と、第一位置決め突起８７と異なる位置に配設されていて当接部１２ａ１に当接する第二位置決め突起８８と、を有する。また、情報を記憶する記憶素子１００ａと記憶素子１００ａと電気的に接続した記憶素子接点１００ｂとを備え本体電気接点２０１が記憶素子接点１００ｂに当接する情報記憶部材１００を有する。
【０１３３】
そして、本体電気接点２０１から記憶素子接点１００ｂへ作用する押圧によりカートリッジＢに作用する第一位置決め突起８７を中心とするモーメントが第二位置決め突起８８を当接部１２ａ１に押圧する向きに作用する構成である。
【０１３４】
［その他の事項］
（ａ）カートリッジＢは実施の形態における潜像が形成される像担持体６２と像担持体に形成された潜像を現像剤で現像する現像手段３２とを備えた一体型のプロセスカートリッジに限られない。
【０１３５】
カートリッジＢは、潜像が形成される像担持体６２と像担持体に形成された潜像を現像剤で現像する現像手段以外の画像形成プロセス手段とを備えた分離型のプロセスカートリッジであってもよい。
【０１３６】
カートリッジＢは、潜像が形成される像担持体６２に形成された潜像を現像剤で現像する現像手段３２と前記潜像を現像するために用いられる現像剤を収納収容している現像剤収納部２９とを有する現像カートリッジであってもよい。
【０１３７】
カートリッジＢには、その他、現像剤を収容した現像剤カートリッジなど、装置本体Ａに取り外し可能に装着されて記録媒体に画像を形成する画像形成プロセスに寄与するユニットが含まれる。
【０１３８】
（ｂ）画像形成装置の画像形成プロセスは電子写真プロセスに限られない。像担持体として静電記録誘電体を用いる静電記録プロセス、磁気記録磁性体を用いる磁気記録プロセスなどであってもよい。
【０１３９】
（ｃ）１つのカートリッジが着脱可能な画像形成装置に限られない。互いに色違いであるなどの複数のカートリッジをそれぞれの所定の装着部に取り外し可能に装着してカラー画像などを形成する画像形成装置も含まれる。
【符号の説明】
【０１４０】
１・・画像形成装置、Ａ・・装置本体、Ｂ・・カートリッジ、Ｃ・・画像形成位置、Ｐ・・記録媒体、１２ｂ１・・受け凹部、１２ａ１・・当接部、２０１・・本体電気接点、８７・・第一位置決め突起、８８・・第二位置決め突起、１００・・情報記憶部材、１００ａ・・記憶素子、１００ｂ・・記憶素子接点
【図２２】
2015014632.tif 000003
【図１】
2015014632.tif 000004
【図２】
2015014632.tif 000005
【図３】
2015014632.tif 000006
【図４】
2015014632.tif 000007
【図５】
2015014632.tif 000008
【図６】
2015014632.tif 000009
【図７】
2015014632.tif 000010
【図８】
2015014632.tif 000011
【図９】
2015014632.tif 000012
【図１０】
2015014632.tif 000013
【図１１】
2015014632.tif 000014
【図１２】
2015014632.tif 000015
【図１３】
2015014632.tif 000016
【図１４】
2015014632.tif 000017
【図１５】
2015014632.tif 000018
【図１６】
2015014632.tif 000019
【図１７】
2015014632.tif 000020
【図１８】
2015014632.tif 000021
【図１９】
2015014632.tif 000022
【図２０】
2015014632.tif 000023
【図２１】
2015014632.tif 000024
【図２３】
2015014632.tif 000025
【手続補正書】
【提出日】平成25年11月22日(2013.11.22)
【手続補正１】
【補正対象書類名】特許請求の範囲
【補正対象項目名】請求項２
【補正方法】変更
【補正の内容】
【請求項２】
前記記憶素子は前記カートリッジの前記装置本体への装着方向において前記第一位置決め突起よりも下流側に設けられており、前記第二位置決め突起は前記装着方向において前記第一位置決め突起よりも上流側に設けられていることを特徴とする請求項１に記載のカートリッジ。
【手続補正２】
【補正対象書類名】明細書
【補正対象項目名】００４９
【補正方法】変更
【補正の内容】
【００４９】
また、非駆動側と駆動側の第二位置決め突起８８は、それぞれ、カートリッジＢの挿入方向Ｇにおいて第一位置決め突起８７よりも上流側で第一位置決め突起８７よりも上側の位置に円柱状に設けたボス部である。また、後述するように、記憶素子を有する情報記憶部材１００が、クリーニング枠体７１の非駆動側の下面であって、第一位置決め突起８７よりもカートリッジＢの挿入方向Ｇの下流側に設けられている（図１）。